(57)【要約】      （修正有） 【課題】スポークに簡単に取り付けることができ、スポークに取り付けた後も各スポーク用反射材がスポーク上を自由にスライド移動したり、スポークを軸として回転することができるスポーク用反射材を提供する。【解決手段】自転車のスポーク３部分に取り付ける本体と、前記本体の周面に取り付ける光を反射する反射材とからなることを特徴とするスポーク用反射材１の構成とした。また、前記本体が、周面に前記反射材を施した円柱状の中央部と、前記中央部の上面に連設され上方にむかって径が小さくなるテーパー状をした上部と、前記中央部の下面に連設され下方に向かって径が小さくなるテーパー状をした下部からなり、前記上部の上面の中心から前記下部の下面の中心にかけて孔を穿設し、更に前記上面から下面にかけて前記孔まで達するスリットを形成した本体としたことを特徴としてスポーク用反射材を構成する。【選択図】図１
0003158897.tif 000002
【実用新案登録請求の範囲】
【請求項１】
自転車のスポーク部分に取り付ける本体と、前記本体２の周面に取り付ける反射材とからなることを特徴とするスポーク用反射材。
【請求項２】
前記本体が、周面に前記反射材を施した円柱状の中央部と、前記中央部の上面に連設され上方にむかって径が小さくなるテーパー状の上部と、前記中央部の下面に連設され下方に向かって径が小さくなるテーパー状の下部からなり、前記上部の上面の中心から前記下部の下面の中心にかけて孔を穿設し、前記上面から下面にかけて前記孔まで達するスリットを形成した本体としたことを特徴とする請求項１に記載のスポーク用反射材。
【請求項３】
前記スリットの上下端であるスリット上部及びスリット下部の幅を中央部に形成したスリットの幅よりも広くし、前記孔の径をスポークの径よりも大きくし、前記スリット及びスリット上下部の幅をスポークの径よりも小さくして、前記本体２がスポーク上を自由にスライド及びスポークを軸として回転可能としたことを特徴とする請求項１又は請求項２のいずれか１項に記載のスポーク用反射材。
【考案の詳細な説明】
【技術分野】
【０００１】
本考案は、自転車のスポークに取り付ける反射材に関する。
【背景技術】
【０００２】
従来のスポーク用反射材は、複数本のスポークに渡って平板状の反射材を取り付けるものや、スポーク丈の半分若しくはそれ以上の長さの筒状体をしておりスリットを設けて各スポークに取り付けるものがあった。
【０００３】
しかしながら、従来の平板状の反射材では、複数のスポークを前後から挟んでネジ留め等により固定するものであり、取付けが面倒であった。
【０００４】
また、スポーク丈の半分若しくはそれ以上の長さの筒状体をし、スリットを設けた反射材では、スポークに取り付けられた場合に位置が固定されていることが多く、丈が長い分、反射材自体の動きは期待することができなかった。
【先行技術文献】
【特許文献】
【０００５】
【特許文献１】実用新案登録第３１４８３０９号公報
【考案の概要】
【考案が解決しようとする課題】
【０００６】
そこで、本考案は、スポークに簡単に取り付けることができ、スポークに取り付けた後も各スポーク用反射材がスポーク上を自由にスライド移動したり、スポークを軸として回転することができるスポーク用反射材を提供する。
【課題を解決するための手段】
【０００７】
本考案は、上記の課題を解決するために、自転車のスポーク部分に取り付ける本体と、前記本体の周面に取り付ける光を反射する反射材とからなることを特徴とするスポーク用反射材の構成とした。
【０００８】
また、前記本体が、周面に前記反射材を施した円柱状の中央部と、前記中央部の上面に連設され上方にむかって径が小さくなるテーパー状をした上部と、前記中央部の下面に連設され下方に向かって径が小さくなるテーパー状をした下部からなり、前記上部の上面の中心から前記下部の下面の中心にかけて孔を穿設し、更に前記上面から下面にかけて前記孔まで達するスリットを形成した本体としたことを特徴とするスポーク用反射材の構成とした。
【０００９】
更に、前記スリットの上下端であるスリット上部及びスリット下部の幅を中央部に形成したスリットの幅よりも広くし、前記孔の径をスポークの径よりも大きくし、更に前記スリット及びスリット上下部の幅をスポークの径よりも小さくして、前記本体がスポーク上を自由にスライド及びスポークを軸として回転可能としたことを特徴とするスポーク用反射材の構成とした。
【考案の効果】
【００１０】
スポーク上を自由にスライド移動することが出来るため、タイヤの回転に従って各スポーク用反射材が不規則に動き、ドライバーを始めとする周囲の者に対して自分の存在を効果的に認識させることが出来る。
【００１１】
また、各スポーク用反射材が取り付けたスポークを軸として自由に回転することができるため、更にスポーク用反射材が不規則な動きをし、周囲に自分の存在をより効果的に認識させることができる。
【００１２】
更に、一本のスポークに対して複数のスポーク用反射材を取り付けることが出来るため、全てのスポークに均等にスポーク用反射材を取り付けたり、一部に多くのスポーク用反射材を取り付けて不規則な反射となるようにすることができ、一度取り付けた後でも、簡単に配置方法を変更することができる。
【図面の簡単な説明】
【００１３】
【図１】本考案であるスポーク用反射材の使用状態を示した図である。
【図２】本考案であるスポーク用反射材の正面図である。
【図３】本考案であるスポーク用反射材の平面図である。
【図４】本考案であるスポーク用反射材の底面図である。
【図５】本考案であるスポーク用反射材の右側面図である。
【図６】本考案であるスポーク用反射材の背面図である。
【図７】本考案であるスポーク用反射材の取付状態を示す拡大図である。
【図８】本考案であるスポーク用反射材の取付状態を示す平面拡大図である。
【考案を実施するための形態】
【００１４】
以下、添付の図面を参照し、本考案の実施の形態について詳細に説明する。
【実施例１】
【００１５】
図１は本考案であるスポーク用反射材の使用状態を示した図、図２はスポーク用反射材の正面図、図３はスポーク用反射材の平面図、図４はスポーク用反射材の底面図、図５はスポーク用反射材の右側面図、図６はスポーク用反射材の背面図、図７はスポーク用反射材の取付状態を示す拡大図、図８はスポーク用反射材の取付状態を示す平面拡大図である。
【００１６】
図１に示すように、本考案であるスポーク用反射材１は、特に自転車のタイヤ４を構成するスポーク部分に取り付ける反射材である。
【００１７】
図２から図２から図８に示すように、前記スポーク用反射材１は、自転車のスポーク部分に取り付ける本体２と、前記本体２の周面に取り付ける光を反射する反射材２ｄとからなる。
【００１８】
前記本体２は、周面に前記反射材２ｄを施した円柱状の中央部２ｋと、前記中央部２ｋの上面に連設され上方にむかって径が小さくなるテーパー状をした上部２ａと、前記中央部２ｋの下面に連設され下方に向かって径が小さくなるテーパー状をした下部２ｂからなり、前記上部２ａの上面２ｇの中心から前記下部２ｂの下面２ｈの中心にかけて孔２ｆを穿設し、更に前記上面２ｇから下面２ｈにかけて前記孔２ｆまで達するスリット２ｅを形成している。
【００１９】
前記上部２ａの下部外周面には複数の凹部２ｃが形成されており、また前記下部２ｂのの上部外周面にも同様に複数の凹部２ｃが形成されている。前記凹部２ｃについては特に形成しなければならないものではなく、設けなくても構わない。
【００２０】
図６及び図７に示すように、前記スリット２ｅは本考案のスポーク用反射材１をスポーク３に取り付ける際に、スポーク３を通すためのもので、前記スリット２ｅの上下端であるスリット上部２ｉ及びスリット下部２ｊの幅を中央部２ｋに形成したスリット２ｅの幅よりも広くしたことでスポーク３を通しやすくしている。
【００２１】
但し、前記スリット上部及び下部２ｉ、２ｊの幅は中央部２ｋのスリット幅と同じでもよく、特に限定したものではない。
【００２２】
図８に示すように、前記孔２ｆの径はスポーク３の径よりも大きくなっており、更に前記スリット２ｅ及びスリット上下部２ｉ、２ｊの幅はスポーク３の径よりも狭く形成されている。
【００２３】
そのため、スポーク３に取り付けたスポーク用反射材１は、容易にスポーク３から外れることはなく、また、前記本体２がスポーク３上を自由にスライド及びスポーク３を軸として回転可能することができる。
【００２４】
また、本考案であるスポーク用反射材１は、走行中は遠心力によりタイヤ４側へ移動するため、夜間、車のヘッドライト等に当たって反射した際は、側面から見ると光の輪のように見えて視認性が高まり、交通事故の防止に効果を発揮する。
【産業上の利用可能性】
【００２５】
本考案であるスポーク用反射材は、不規則な動きにより、効果的に注意を促すことが出来るためより安全に自転車を運転することができるため交通事故を抑制することが期待できる。
【符号の説明】
【００２６】
１    スポーク用反射材
２    本体
２ａ  上部
２ｂ  下部
２ｃ  凹部
２ｄ  反射材
２ｅ  スリット
２ｆ  孔
２ｇ  上面
２ｈ  下面
２ｉ  スリット上部
２ｊ  スリット下部
２ｋ  中央部
３    スポーク
４    タイヤ
【図１】
0003158897.tif 000003
【図２】
0003158897.tif 000004
【図３】
0003158897.tif 000005
【図４】
0003158897.tif 000006
【図５】
0003158897.tif 000007
【図６】
0003158897.tif 000008
【図７】
0003158897.tif 000009
【図８】
0003158897.tif 000010
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
自転車のスポーク部分に取り付ける本体と、前記本体の周面に取り付ける反射材とからなることを特徴とするスポーク用反射材。
【請求項２】
前記本体が、周面に前記反射材を施した円柱状の中央部と、前記中央部の上面に連設され上方にむかって径が小さくなるテーパー状の上部と、前記中央部の下面に連設され下方に向かって径が小さくなるテーパー状の下部からなり、前記上部の上面の中心から前記下部の下面の中心にかけて孔を穿設し、前記上面から下面にかけて前記孔まで達するスリットを形成した本体としたことを特徴とする請求項１に記載のスポーク用反射材。
【請求項３】
前記スリットの上下端であるスリット上部及びスリット下部の幅を中央部に形成したスリットの幅よりも広くし、前記孔の径をスポークの径よりも大きくし、前記スリット及びスリット上下部の幅をスポークの径よりも小さくして、前記本体がスポーク上を自由にスライド及びスポークを軸として回転可能としたことを特徴とする請求項２に記載のスポーク用反射材。